(57)【要約】      （修正有）【課題】パワー半導体モジュールと輸送包装を備えて構成される配列装置を提供する。【解決手段】パワー半導体モジュール５と輸送包装２を備えて構成される配列装置であって、パワー半導体モジュールがベース要素４０と、ハウジングと、接続要素とを有し、輸送包装が、平面的に構成されたカバー層１０と、カバーフィルム３０と、パワー半導体モジュール毎に溝状プラスチック成形体８０とを有する。この場合、前記プラスチック成形体は、割り当てられたパワー半導体モジュールを部分的にのみ取り囲み、一部は、パワー半導体モジュールに直接接触しない。さらに１つのパワー半導体モジュールの第１の側面はカバー層の第１の主面上に直接または間接的に置かれる一方、カバーフィルムは、パワー半導体モジュールの別の側面を直接および／または間接的に被覆し、この場合プラスチック成形体に部分的に接触する。【選択図】図２
2011173654.tif 000002
【特許請求の範囲】
【請求項１】
少なくとも１つのパワー半導体モジュール（５）と輸送包装（２）を備えて構成される配列装置（１）であって、前記パワー半導体モジュール（５）はベース要素（４０）と、ハウジング（５０）と、接続要素（６０、６２）とを有し、前記輸送包装（２）は、平面的に構成されたカバー層（１０）と、カバーフィルム（３０）と、パワー半導体モジュール（５）毎に少なくとも１つの溝状プラスチック成形体（８０）とを有し、
前記少なくとも１つのプラスチック成形体（８０）は、割り当てられたパワー半導体モジュール（５）を部分的にのみ取り囲み、前記プラスチック成形体（８０）の一部は前記パワー半導体モジュール（５）に直接接触せず、および前記少なくとも１つのパワー半導体モジュール（５）の第１の側面は、前記カバー層の第１の主面（１００）上に直接または間接的に置かれ、および前記カバーフィルム（３０）は、前記パワー半導体モジュール（５）の別の側面を直接および／または間接的に被覆し、かつ少なくとも部分的に前記プラスチック成形体（８０）に接触する、配列装置（１）。
【請求項２】
前記プラスチック成形体（８０）が少なくとも１つの停止面（８２）を有し、それにより、前記パワー半導体モジュール（５）に直接接触し、かつそれに隣接して、前記プラスチック成形体（８０）と前記パワー半導体モジュール（５）との間に少なくとも１つの空洞（８６）が形成される、請求項１に記載の配列装置（１）。
【請求項３】
前記プラスチック成形体（８０）が、割り当てられたパワー半導体モジュール（５）の片側を完全に被覆し、前記パワー半導体モジュール（５）の隣接する側面に接触する壁（８４）を有し、かつ前記隣接する側面を部分的にのみ被覆する、請求項１または２に記載の配列装置（１）。
【請求項４】
前記カバーフィルム（３０）および／または前記プラスチック成形体（８０）が、金属が蒸着された外面を備えるか備えない導電性または散逸性のプラスチックから形成される、請求項１に記載の配列装置（１）。
【請求項５】
前記カバーフィルム（３０）および／または前記プラスチック成形体（８０）が、少なくとも部分的に、好ましくは完全に透明に形成される、請求項１に記載の配列装置（１）。
【請求項６】
前記カバーフィルム（３０）の厚さが、前記プラスチック成形体（８０）の厚さの少なくとも５分の１よりも小さく、従って、前記プラスチック成形体が、機械的に安定するように形成される、請求項１に記載の配列装置（１）。
【請求項７】
前記輸送包装（２）が、それぞれ前記少なくとも１つのパワー半導体モジュール（５）に割り当てられた切り欠き（２３０）を備える追加的な中間層（２０）を有し、前記中間層が、その第２の主面（２１０）が前記カバー層（１０）の前記第１の主面（１００）上になるように配置され、かつ、前記パワー半導体モジュール（５）は、前記中間層（２０）のこの少なくとも１つの切り欠き（２３０）に配置される、請求項１に記載の配列装置（１）。
【請求項８】
前記カバー層（１０）と前記中間層（２０）が、取り外し可能に互いに接続されている、請求項７に記載の配列装置（１）。
【請求項９】
前記カバーフィルム（３０）が、パワー半導体部品に並んだ前記中間層（２０）の前記各切り欠き（２３０）によって切り離された中間領域（２４０）にて、取り外し可能に前記カバー層（１０）の前記第１の主面（１００）に接続されている、請求項７に記載の配列装置（１）。
【請求項１０】
前記中間層（２０）および／または前記カバー層（１０）が板紙またはボール紙または複合ボール紙からなる、請求項１または７に記載の配列装置（１）。
【請求項１１】
一次元または二次元のマトリックスに配列された複数のパワー半導体モジュール（５）の場合、前記パワー半導体モジュールが、前記カバー層（１０）の前記主面に対して平行かつ前記ハウジング（５０）の面に対する垂線に対して平行な少なくとも一次元にて、前記次元におけるプラスチック成形体が配置された前記ハウジング（５０）の幅（５００）よりも大きい相互の距離（７００）を有する、請求項１に記載の配列装置（１）。
【請求項１２】
一次元または二次元のマトリックスに配列された複数のパワー半導体モジュール（５）の場合、前記輸送包装（２）は、パワー半導体部品（５）間に打ち抜き穴（７０）を有する、請求項１に記載の配列装置（１）。
【発明の詳細な説明】
【技術分野】
【０００１】
本発明は、主に少なくとも１つのパワー半導体モジュールの工場渡しの輸送のための配列装置を記載する。この場合、複数のパワー半導体モジュールを輸送包装中で一次元または二次元のマトリックスに配列することが好ましい。
【背景技術】
【０００２】
原理上、ベース体およびカバーを有する単純な段ボール箱やプラスチックのブリスターなど、パワー半導体モジュール用に多くの異なる輸送包装が知られている。いわゆるスキン包装は最終消費者のための品物の包装で知られている。例えば特許文献１によれば、単純な段ボール箱は、一般的に、輸送中、機械的影響に対してパワー半導体モジュールを十分に保護しないという欠点がある。別の欠点は、そのような包装は、例えば税関手続きでの検査のために開封する必要があり、従って、パワー半導体モジュールに直に接触されることがあり、これが、静電放電による、または傷つきやすい表面、例えば銀被覆接続要素に触れることによる損傷をもたらす可能性がある。
【０００３】
例えば特許文献２から公知のもののようないわゆるスキン包装は本発明の出発点をなし、段ボール箱と、包装されるべき製品を封入するプラスチックフィルムとの組み合わせである。公知のように、そのような包装は、包装された製品の特に傷つきやすい部分を十分に保護できないという著しい欠点がある。
【先行技術文献】
【特許文献】
【０００４】
【特許文献１】独国特許出願公開第３９０９８９８Ａ１号明細書
【特許文献２】独国特許出願公開第１９９２８３６８Ａ１号明細書
【発明の概要】
【発明が解決しようとする課題】
【０００５】
本発明は、少なくとも１つのパワー半導体モジュールと輸送包装を備えて構成される配列装置であって、少なくとも別の外装と組み合わされているこの輸送包装が、輸送中に発生する機械的影響に対して特に堅固であり、かつまた、原理上は、静電放電に対して保護がしやすく、および輸送包装を開封しなくても、少なくとも１つのパワー半導体モジュールに適用された識別情報を読みやすい配列装置を提供するという目的に基づく。
【０００６】
この目的は、本発明に従って、請求項１の特徴を備える配列装置によって達成される。好ましい実施形態は従属請求項で説明する。
【０００７】
本発明の概念は、上述のスキン包装に基づく。スキン包装は、少なくとも１つのパワー半導体モジュールを備えて構成される配列装置を形成するために開発された。この場合、この配列装置は、少なくとも１つのパワー半導体モジュール、好ましくは一次元にまたは二次元マトリックスに配列された複数のパワー半導体モジュール、および輸送包装を有する。
【０００８】
その一般的な実施形態では、パワー半導体モジュールはベース要素、好ましくは金属性のベースプレートと、絶縁材料で構成されたハウジングと、ベースプレートに対して絶縁されて内部に配置されたパワー半導体部品と外部から接触するための接続要素とを有する。この場合、用語「パワー半導体モジュール」は、ベース要素に対して電気的に絶縁されて組み立てられたパワー半導体モジュールに加えて、長いこと従来技術の一部であったもののような、２つのプレーナ接続要素とそれらの間に配置されたセラミックやプラスチックで構成された絶縁材料本体とを有するディスク型のサイリスタも意味すると理解されたい。本発明による配列装置の輸送包装は、一方では、カバー層と、カバーフィルムと、パワー半導体モジュール毎に少なくとも１つの溝状プラスチック成形体とを有する。カバー層は、好ましくは、その全体が散逸性である複合ボール紙として供され、平面的に構成され、それゆえ、輸送包装のベースを形成する。
【０００９】
この場合、各パワー半導体モジュールは、少なくとも１つのプラスチック成形体に対して配置され、それによって部分的に取り囲まれ、プラスチック成形体は、完全にはパワー半導体モジュールに接触せず、部分的にそれから離間している。このために、プラスチック成形体が、パワー半導体モジュールと直接接触する少なくとも１つの停止面を有すると、好ましい。停止面に隣接して、プラスチック成形体とパワー半導体モジュールとの間に少なくとも１つの空洞が設けられる。前記空洞は、例えば、ベース要素に設けられる場合、そこに適用された熱伝導性ペースト構造を接触に対して保護することができる。同様に、少なくとも１つの空洞は、輸送中の機械的な接触に対して接続要素を保護できる。
【００１０】
パワー半導体モジュールおよびそれに対して配置された少なくとも１つのプラスチック成形体を相互に固定するために、前記プラスチック成形体が完全にパワー半導体モジュールの片側を被覆し、かつパワー半導体モジュールの隣接する側面に接触しかつ前記隣接する側面を部分的にのみ被覆する壁を有すると、好都合である。
【００１１】
それゆえ、少なくとも１つのプラスチック成形体は、パワー半導体モジュールと包装の残りの部分との間にスペーサ要素を形成し、その結果、包装のこれらの部分は、プラスチック成形体の領域において、直接的にではなく間接的にのみそれに接触する。
【００１２】
パワー半導体モジュールとカバー層との間にプラスチック成形体を提供して、例えば、熱伝導性ペースト層を保護することが好ましい；あるいはまたは加えて、パワー半導体モジュールの反対側に別のプラスチック成形体を同様に提供して、そこにある接続要素を保護することができる。同様に、このように配置されたプラスチック成形体は、接続要素に対するカバーフィルムの保護を形成する。なぜなら、接続要素は、対応する形態である場合、カバーフィルムを損傷させる可能性があり、従って、パワー半導体モジュールはもはや接触に対して保護されないためである。
【００１３】
さらに、カバー層の第１の主面上に中間層を配置することも好ましい。前記中間層は切り欠きを有し、それぞれの切り欠きにパワー半導体モジュールが割り当てられている。この場合、カバーフィルムが実質的に前記中間層とのみ接触し、かつその切り欠きの領域においてカバー層とのみ接触していると有利であり、その結果、開封しやすい輸送包装が形成される。
【００１４】
静電放電に対してパワー半導体モジュールを保護するために、カバーフィルムおよび／または各プラスチック成形体が、金属が蒸着された外面があるまたはない導電性または散逸性プラスチックからなると、好ましい。同様に、カバーフィルムおよび／または各プラスチック成形体を少なくとも部分的に、好ましくは完全に透明にして供すると、有利である。
【００１５】
本発明による配列装置の形態により、以下が可能となる。
・包装されたパワー半導体モジュールを互いに対して機械的に、相互に少し離して固定し、同時に機械的損傷に対して、パワー半導体モジュールの傷つきやすい箇所を保護すること；
・輸送包装を開封する必要なく、携帯用スキャナなどの光電子補助装置によることを含めて、各パワー半導体モジュールに適用された識別情報を読み取ること；
・静電帯電に対する保護として輸送包装を形成すること；
・環境からの有害ガスによることを含めて、パワー半導体モジュールへの直接的な作用に対する保護として輸送包装を形成すること。パワー半導体モジュールを封入するカバー層および／またはカバーフィルムの部分に、パワー半導体モジュールの接続要素を保護するための腐食防止剤を提供することがさらに有利であり得る；および
・包装を分離することにより、かつまた他の包装と比較してボリュームが小さく低質量であるために包装を簡単に環境に優しい方法で廃棄できること。
【００１６】
複数のパワー半導体モジュールが一次元にまたは二次元マトリックスに配列されている場合に、前記パワー半導体モジュールが、カバー層の主面に対して平行かつハウジングの面に対する垂線に対して平行な少なくとも一次元において、前記次元におけるプラスチック成形体が配置されているハウジングの幅よりも大きい相互の距離を有すると、別の好ましい実施形態が生じる。それゆえ、このタイプの２つの配列装置を組み合わせることが可能となる。この場合、カバー面の第１の主面を相互に向き合わせ、かつ２つのパワー半導体モジュール間の距離の半分だけ互いに対してオフセットさせて、パワー半導体モジュールの実装密度の高い全体的な配列装置を形成する。
【００１７】
本発明による解決法を、図１〜図４の例示的な実施形態に基づいてさらに説明する。
【図面の簡単な説明】
【００１８】
【図１】本発明による配列装置の第１の形態を通る断面を示す。
【図２】本発明による配列装置の第２の形態を通る断面を示す。
【図３】本発明による配列装置の第２の形態を通る断面を示す。
【図４】図１、図２および図３による配列装置と類似の、本発明による２つの配列装置を三次元的に示す。
【発明を実施するための形態】
【００１９】
図１に、抜粋として、本発明による第１の配列装置１を通る線Ａ−Ａ（図４を参照）に沿った断面を示す。ここでは、図面に、第１の主面１００および第２の主面１１０を備える輸送包装２のカバー層１０を示す。カバー層１０の第１の主面１００に、包装されるパワー半導体モジュール５を互いに対して同一の距離でマトリックス様に配置する。包装されるパワー半導体モジュール５のベース要素４０、ハウジング５０および接続要素６０のみを示す。
【００２０】
限定はしないが、前記パワー半導体モジュール５を、通常金属性のベースプレートまたは直接内部回路の基板とし得るそれらのベース要素４０が、カバー層１０の第１の主面１００の方向にあるように配置することが有利である。ここで提供した形態の場合、接続要素６０はカバー層１０に対してパワー半導体モジュール５の反対側にある。
【００２１】
この場合、各パワー半導体モジュール５のベース要素４０は、従来技術から公知のもののような熱伝導性ペースト層４２を有する。このペースト層４２を保護するために、パワー半導体モジュール５と輸送包装２のカバー層１０との間にプラスチック成形体８０を配置し、その結果、パワー半導体モジュール５がカバー層１０の第１の主面１００に直接接触しなくなる。
【００２２】
この場合、プラスチック成形体８０を溝状に供し、かつプラスチック成形体８０は周囲に平面的な支持縁８２を有する。熱伝導性ペースト４２がもたらされていないパワー半導体モジュール５のベース要素４０の辺縁部は、この支持面８２に接触する。あるいは、パワー半導体モジュール５の実施形態に依存して、ハウジング５０の一部も前記支持面８２に接触する場合がある。プラスチック成形体８０は、熱伝導性ペースト４２がもたらされたベース要素４０とカバー層１０との間に空洞８６を形成し、その空洞は熱伝導性ペースト４２を機械的に保護する働きをする。
【００２３】
ここでおよび以下、カバーフィルム３０、およびパワー半導体モジュール５に接触するプラスチック成形体８０の部分も、もっぱらより明瞭にするために、カバー層１０から離間し、かつパワー半導体モジュール５から離間しているものとして示す。さらに、カバーフィルム３０をカバー層１０の第１の主面１００に、接着技術によって接続する。
【００２４】
金属が蒸着された外面があるまたはない導電性または散逸性プラスチックからカバーフィルム３０および好ましくはプラスチック成形体８０を構成すること、および導電性または散逸性複合ボール紙からカバー層１０を構成することは、パワー半導体モジュール５を静電帯電に対して十分に保護できる輸送包装２をもたらす。様々な監視目的のためにカバーフィルム３０を少なくとも部分的に、好ましくは完全に透明にして供するため、この保護包装２を開封する必要もない。
【００２５】
図１に従う本発明による配列装置１は、さらに、プラスチック成形体８０が配置されたパワー半導体モジュール５間の距離７００が、パワー半導体モジュール５の幅５００よりも大きいように構成されており、その結果、図４に従って、第１の配列装置１に対してその距離の半分だけオフセットさせかつ１８０°だけ回転させて第２の配列装置１’を提供することが可能となり、それゆえ、全体的な配列装置を小型にする。その配列装置は実装密度が高く、同時に個々のパワー半導体モジュール５が互いに対して十分に固定されている。
【００２６】
図２および図３は、いずれの場合も、本発明による第１の配列装置１を通る線Ｂ−Ｂ（図４を参照）に沿った断面図を示す。これらの図面は、再び、輸送包装２を展開して示す。ここでは、前記輸送包装は、各切り欠き２３０がパワー半導体モジュール５に割り当てられた追加的な中間層２０を有し、その結果、割り当てられたパワー半導体モジュール５はその下部領域において取り囲まれるが、直接および完全に接触して囲まれはしていない。パワー半導体モジュール５の外周全体において、切り欠き２３０の縁２２０が最大で５０％程度、好ましくは最大で２５％程度のみ、割り当てられたパワー半導体モジュール５に直接接触し、かつ縁２２０の残りの部分はパワー半導体モジュール５から少なくとも２ｍｍの距離にあり、それゆえ中間領域２４０を形成していることが有利である。しかしながら、パワー半導体モジュール５を相互にそれらの位置に確実に固定するために、少なくともいくつかの位置において、好ましくはパワー半導体モジュール５の隅部において直接接触することが好都合である。
【００２７】
原理上は、カバーフィルム３０と中間層２０との間の接着接続と共に、上述の中間領域２４０においてカバー層１０とカバーフィルム３０との間に、およびカバー層１０と中間層２０との間に接着接続を提供することが好ましいが、必ずしも必要なものではない。この場合、初めに述べた接着接続は、取り外し可能な接続として供する必要はない。
【００２８】
図２に、パワー半導体モジュール５および輸送包装２を備える配列装置１を示す。この場合、中間層２０から部分的に分離させてカバー層１０を示す。この図面は、輸送包装２を開封して、そこからパワー半導体モジュール５を取り出すことに対応している。この場合、カバー層１０と中間層２０との間のおよび／またはカバー層１０とカバーフィルム３０との間の取り外し可能な接続は、中間領域２４０において切り離される。
【００２９】
限定はしないが、好ましくは、中間層２０およびカバー層１０は、板紙またはボール紙または複合ボール紙からなる。中間層２０、および、好ましいことにすぎないが、カバー層１０が導電性または散逸性複合ボール紙で構成されているようにすることが、静電放電に対する保護に特に好都合であることが分かっている。この場合、その複合ボール紙は、例えば、導電性または散逸性のフィルム中間層を有する。
【００３０】
この形態では、プラスチック成形体８０は、パワー半導体モジュール５のカバー層１０から離れた側に配置されて、輸送中の機械的損傷に対して、積んでいる接続要素６０、６２および補助接続をそこで保護する。このために、プラスチック成形体８０は、積んでいる接続要素６０との停止面８２を有し、かつ、それに隣接して、いずれの場合も補助接続要素のための空洞８６が設けられている。前記空洞８６があることによって、各補助接続要素６２がプラグ形状であるためにカバーフィルム３０を損傷させてしまう可能性を回避できる。従って、フィリグリー式に形成された他の接続要素６０、６２も同様に、外部からの損傷に対して保護できる。この場合、一般的に好ましいように、前記プラスチック成形体８０は、接続要素を有するパワー半導体モジュール５の側面全体を覆う。
【００３１】
プラスチック成形体８０はさらに、少なくとも２つの対向する側面、好ましくは全側面に壁８４を有する。前記壁８４は、被覆された側面に隣接するパワー半導体モジュール５の側面に接触する。この場合、前記壁８４の各側面を部分的にのみ被覆することが好ましい。
【００３２】
上述のパワー半導体モジュール５の典型的な寸法は、限定するものではないが、プラスチック成形体８０を含めて幅５００、および同様に高さが１ｃｍ〜６ｃｍの範囲の場合、長さが３ｃｍ〜１５ｃｍの範囲である。輸送包装２のカバー層１０の典型的な厚さは０．２ｍｍ〜１ｍｍであり、中間層２０の厚さは０．５〜３ｍｍである一方、カバーフィルム３０の厚さは１００μｍのオーダーである。プラスチック成形体８０は好ましくは、カバーフィルム３０の厚さの少なくとも５倍の厚さを有する。
【００３３】
次いで、図３に、パワー半導体モジュール５を輸送包装２から取り出す別のステップを示す。この場合、ハウジング５０の上面によって形成された平面と中間層２０がほぼ同じ高さになるまで、中間層２０の第１の主面２００に対して垂直な面の方向に中間層２０を押圧した。中間層２０をこのように変位させる過程で、カバーフィルム３０が少なくとも部分的にパワー半導体モジュール５のハウジング５０から引き離されて、もっぱらまたは少なくともほぼ例外なくプラスチック成形体８０の壁８４と接触し、その結果、簡単にかつ器具を用いずに、パワー半導体モジュール５を前記プラスチック成形体８０から取り出すことができる。
【００３４】
図４に、図１、図２および図３による配列装置と類似の本発明による２つの配列装置１、１’を三次元的に示す。この配列装置はそれぞれ、輸送包装２および複数のパワー半導体モジュール５を有する。いずれの場合も、前記パワー半導体モジュール５のハウジング５０および複数の接続要素６０、６２を示す。図示していないそれらのベース要素４０（図１を参照）は、ここでは金属性のベースプレートであり、前記パワー半導体モジュール５は、各輸送包装２のカバー層１０の第１の主面１００上に、いずれの場合もベース要素４０（図２を参照）がその上に直接置かれることにより、または、上述のように、それらの間にプラスチック成形体８０が配置されて間接的に置かれることにより、二次元マトリックスに配列され得る。
【００３５】
カバー層１０の前記第１の主面１００上に中間層２０の第２の主面２１０があるように、中間層２０を配置する。前記中間層２０は複数の切り欠き２３０を有し、切り欠きはそれぞれパワー半導体モジュール５に割り当てられている。この場合、切り欠き２３０の縁２２０がパワー半導体モジュール５のハウジング５０に直接接触するのは数セクションのみとなるように、パワー半導体モジュール５を前記切り欠き２３０に配置する。主にパワー半導体モジュール５のハウジング５０と切り欠き２３０の縁２２０との間に隙間を設け、前記隙間は中間領域２４０を形成する。
【００３６】
透明なカバーフィルム３０および各プラスチック成形体８０自体は図示されていない。二次元マトリックス配列装置内にある、ここで図示した複数のパワー半導体モジュール５の場合、一次元配列装置の場合のように、輸送包装２が、各パワー半導体モジュール５の間に、包装されたパワー半導体モジュール５を簡単に１つずつ分離するための打ち抜き穴７０（第２の配列装置１’の場合にのみ示す）を有すると、さらに有利である。
【符号の説明】
【００３７】
１  第１の配列装置
１’  第２の配列装置
２  輸送包装
５  パワー半導体モジュール
１０  カバー層
２０  中間層
３０  カバーフィルム
４０  ベース要素
４２  熱伝導性ペースト層
５０  ハウジング
６０  接続要素
６２  補助接続要素
７０  打ち抜き穴
８０  プラスチック成形体
８２  支持縁
８４  壁
８６  空洞
１００  カバー層の第１の主面
１１０  カバー層の第２の主面
２００  中間層の第１の主面
２１０  中間層の第２の主面
２２０  切り欠きの縁
２３０  切り欠き
２４０  中間領域
【図１】
2011173654.tif 000003
【図２】
2011173654.tif 000004
【図３】
2011173654.tif 000005
【図４】
2011173654.tif 000006
【外国語明細書】
2011173654000001.pdf
2011173654000002.pdf
2011173654000003.pdf
2011173654000004.pdf